(57)【要約】【課題】現像器の現像ローラが像担持体に接触する際の衝撃（振動）を小さくすることで画像不具合（ジターやバンディング）を防止する画像形成装置を提供する。【解決手段】レール及びガイド上を移動し上下左右にずれるようなことは無く水平移動するようになっている現像器１の両側面に、金属材７が搭載され、現像器１の外側で金属材７と対向した位置に複数の（２個の）電磁石６−ａと６−ｂが配置されており、これら電磁石６−ａ、６−ｂにより磁力が金属板７に作用し、この磁力により現像器１が像担持体に対し近接移動してその現像ローラ１−ａが像担持体に接触し又像担持体から離反移動するようになっている。【選択図】      図２
2004240341.tif 000002
【特許請求の範囲】
【請求項１】
像担持体へ現像器を接離させる接離機構を備えた画像形成装置において、前記接離機構は、現像器側に設けた金属部材と、金属部材と対向する固定側に配置された電磁石と、から成ることを特徴とする画像形成装置。
【請求項２】
前記電磁石を、現像器の接離方向に沿って複数個設けたことを特徴とする請求項１に記載の画像形成装置。
【請求項３】
前記各電磁石の磁力発生タイミングを制御し自在に可変可能としたことを特徴とする請求項１又は２に記載の画像形成装置。
【発明の詳細な説明】
【０００１】
【発明の属する技術分野】
本発明は、２色以上の像を重ねる多色画像形成装置における、１つの像担持体へ各色現像器を接離させる機構を要する画像形成装置に関するもので、複写機、プリンター、及びファクシミリ等に適用し得るものである。
【０００２】
【従来の技術】
従来、１つの像担持体に各色の現像器の現像ローラを夫々接離し、各色毎に作像している画像形成装置では、接離機構にソレノイドやギヤ等を使用していて像担持体に現像器の現像ローラが接触する際の衝撃（振動）や移動する際のギヤ振動が、作像でのレーザビームを揺らすことや像担持体や中間転写ベルト等の回転ムラなどを発生させて画像不具合（ジターやバンディング）の要因になってしまっている。
【０００３】
【発明が解決しようとする課題】
上記画像不具合（ジターやバンディング）の要因に対する対策としては、（イ）作像タイミングと、現像ローラが接触するタイミングを外す対策、（ロ）ゴムダンパなどで衝撃（振動）を吸収するような対策等も考えられ、実施されているが、（イ）の対策にあっては生産性が悪化してしまい、又（ロ）の対策にあっては吸収力が不安定であるため、画像不具合（ジターやバンディング）は発生してしまう、という不具合がある。
そこで本発明は上記の不具合な点を解決するためになされたもので、現像器の現像ローラが像担持体に接触する際の衝撃（振動）を小さくすることで画像不具合を防止することを目的とする。
【０００４】
【課題を解決するための手段】
前記の課題を解決するために、請求項１に記載の発明では、像担持体へ現像器を接離させる接離機構を備えた画像形成装置において、前記接離機構は、現像器側に設けた金属部材と、金属部材と対向する固定側に配置された電磁石と、から成ることを特徴とする。
請求項２に記載の発明では、前記電磁石を、現像器の接離方向に沿って複数個設けたことを特徴とする。
請求項３に記載の発明では、請求項１又は２に記載の発明において、電磁石の磁力発生タイミングを制御し自在に可変可能としたことを主要な特徴とする。
【０００５】
【発明の実施の形態】
以下、図面により本発明の実施の形態を詳細に説明する。
図１は１つの像担持体５へ各色の現像器１〜４が個々に接離して像担持体５へ作像する画像形成装置の機構を示す説明図である。
作像するには、各色の現像器、例えば現像器１を実線から破線で示すごとく像担持体５に対し接離して（接触離隔移動して）、現像ローラ１−ａをベルト状像担持体５の表面に接触することにより行っている。
具体的な構成を図２（Ａ）（Ｂ）（Ｃ）を参照しつつ本発明の画像形成装置について説明する。現像器１について述べるが、他の現像器２〜４も同じ構造を有する。
現像器１は、図１の実線位置から破線位置までの間をレール及びガイド上に沿って移動し上下左右にずれるようなことは無く水平移動するようになっており、現像器の前後両側面（非金属材料から成る）には金属板（金属部材）７が搭載され、現像器１の外側で金属板７と対向した位置（画像形成装置本体等の固定側）には複数の、具体的には２個の電磁石６−ａと６−ｂが配置されており、これら電磁石６−ａ、６−ｂにより磁力が金属板７に作用するようになっている。金属板７と磁石６−ａ、６−ｂは、接離機構を構成している。
【０００６】
以下、上記実施の形態の作用について説明する。待機時には電磁石６−ａに電圧を印加して磁力を発生せしめ、金属材７を電磁石６−ａの吸引力によってその対向位置に維持させ、このようにして現像器１を像担持体より適宜離れた位置で保持する（図２（Ｃ））。
一方、作像時は電磁石６−ａの磁力を解除し、電磁石６−ｂに電圧印加して磁力を発生せしめる。この場合に金属材７が電磁石６−ｂの対向位置に引き付けられてこの金属板７と共に現像器１が像担持体に向かって移動する（図２（Ｂ））。左右で位置に差が出ないように電磁石６−ａ及び電磁石６−ｂ、金属材７は現像器の左右両側に搭載されており、しかも現像器１はレール及びガイド上を移動するために上下左右にずれるようなことは無く水平移動する。接離機構にソレノイドやギヤ等を使用していないので、像担持体に現像器１の現像ローラ１−ａが接触する際の衝撃（振動）や移動する際のギヤ振動に起因して、作像でのレーザビームを揺らすことや像担持体や中間転写ベルト等の回転ムラなどの発生をなくし得て画像不具合（ジターやバンディング）をなくすことができる。
像担持体から現像器１の現像ローラ１−ａを離す際には、電磁石６−ｂの磁力を解除し、電磁石６−ａに電圧印加して磁力を発生せしめる。この状態で、金属板７が電磁石６−ａの対向位置に引き付けられてこの金属板７と共に現像器１が像担持体から離れる方向に移動し、現像器１の現像ローラ１−ａの像担持体への接触が解除され前記せる待機状態と同じ状態になる（図２（Ｃ））。
前述の電磁石６−ａ、６−ｂの電圧印加及びその解除を演算器により設定タイミングに基づき行うようにしてもよい。
また、電磁石をさらに増やして配置することにより、現像器が多くの移動量を必要な場合でも対応可能となり、しかも移動量を適宜分割することにより現像器の像担持体に対する移動を細かく制御できて、即ち各電磁石の磁力発生タイミングを制御することにより現像器の移動速度を制御できて像担持体への接触を衝撃を与えることなく行うことができる。
【０００７】
次に５つの電磁石を搭載した例を図３を参照しつつ説明する。現像器１の両側面に金属材７が搭載され、現像器１の外側で金属材７と対向した位置に５個の電磁石６−ａ、６−ｂ、６−ｃ、６−ｄ、６−ｅが所要間隔をあけて配置されており、これら電磁石６−ａ〜６−ｅの各々により磁力が金属板７に作用するようになっている。又、電磁石６−ａ〜６−ｅへの電圧印加時間も自由に変えられるようになっている。
電磁石６−ａ〜６−ｅを順次電圧印加すると金属板７に各電磁石６−ａ〜６−ｅの磁力が順に作用し、現像器１が像担持体に近づきその現像ローラ１−ａが像担持体にソフトに接触し、ジターやバンディングなどの画像不良を防止することができる。
又、各電磁石６−ａ〜６−ｅの電圧印加時間、印加タイミングが自由に変更するようになっているので、この電圧印加時間の変更により現像器１の移動速度を変更することができる（図４、図５、図６）。
図４に示した電圧印加タイミング例では、現像器１の移動時間が長く各電磁石６−ａ〜６−ｅの磁力の作用により同じ速度で移動する場合を示しており、図５は現像器１が同じ速度で最後まで移動するが、図４の制御より早く移動する場合を示しており、図６は現像器１が速い速度で移動するが最後のステップの前で一旦停止して移動する場合を示している。
前述の電磁石６−ａ〜６−ｅの電圧印加及びその解除を演算器により設定タイミングに基づき行うようにしてもよい。
尚、本発明は図示し説明した形態例に限定されることなく、例えば現像器の上下両面に金属板を取付け且つこの金属板の対向する外側に複数の電磁石を配置してこれらの電磁石に電圧印加することにより磁力を金属板に作用させて現像器の像担持体に対する接離移動を行い得るようにすることは任意であり、その他本発明の要旨を逸脱しない限り種々の変更を加え得ることは勿論である。
【０００８】
【発明の効果】
以上説明したように、請求項１に記載の発明によれば、現像器の移動手段にギヤを使用していないためにギヤが回転する際の振動が無く、移動中の振動は小さくなるためジターやバンディングなどの画像不良を防止することができる。
請求項２に記載の発明によれば、待機時の現像器位置により電磁石の配置する数を設定でき、作像時に像担持体に接触させるために移動する距離を短い距離で分割して移動することができるため、接触した際の衝撃（振動）を小さくすることができ、ジターやバンディングなどの画像不良を防止することができる。
請求項３に記載の発明によれば、作像時に現像器の移動する速度を自由に可変することができるため、接触した際の衝撃（振動）を小さくすることが可能であるため、ジターやバンディングなどの画像不良を防止することができる。
【図面の簡単な説明】
【図１】１つの像担持体へ各色の現像器が夫々接離して像担持体へ作像する画像形成装置の機構を示す説明図である。
【図２】本発明の画像形成装置の構成及び作用を示す斜視図にして、（Ａ）は構成を、（Ｂ）は像担持体との接触状態を、（Ｃ）は像担持体から離れた状態を夫々示す斜視図である。
【図３】本発明の画像形成装置の他の形態例を示す斜視図である。
【図４】図３の形態例において、各電磁石の電圧印加時間と現像器の移動速度との関係を示す説明図にして、現像器が同じ速度で移動しその移動時間が長い場合を示す図である。
【図５】図３の形態例において、各電磁石の電圧印加時間と現像器の移動速度との関係を示す説明図にして、現像器が同じ速度で移動しその移動時間が短い場合を示す図である。
【図６】図３の形態例において、各電磁石の電圧印加時間と現像器の移動速度との関係を示す説明図にして、現像器が早い速度で移動し最後のステップの前で一旦停止してから移動する場合を示す図である。
【符号の説明】
１〜４  現像器、１−ａ  現像ローラ、５  像担持体、６−ａ〜６−ｅ  電磁石、７  金属板
【図１】
2004240341.tif 000003
【図２】
2004240341.tif 000004
【図３】
2004240341.tif 000005
【図４】
2004240341.tif 000006
【図５】
2004240341.tif 000007
【図６】
2004240341.tif 000008